(57)【特許請求の範囲】
【請求項１】
撮影レンズのズーム領域および収納領域での動作に連動して回転するカム部材を有し、このカム部材に、複数のファインダーレンズのそれぞれに係合して前記撮影レンズのズーム動作に伴いこれら複数のファインダーレンズのそれぞれをズーム駆動する複数のズーム域カム部が形成された光学ファインダー装置において、
前記複数のズーム域カム部のうち少なくとも１つの両端を前記カム部材の回転方向にて連続させ、このズーム域カム部に、前記撮影レンズがズーム領域にあるときおよび収納領域にあるときの双方にて前記ファインダーレンズを係合させることを特徴とする光学ファインダー装置。
【請求項２】
前記カム部材に、前記複数のズーム域カム部のうち前記両端が連続するズーム域カム部以外のズーム域カム部の一端に前記カム部材の回転方向にて連続して、前記撮影レンズが収納領域にあるときに前記ファインダーレンズが係合する収納域カム部を形成したことを特徴とする請求項１に記載の光学ファインダー装置。
【請求項３】
請求項１又は２に記載の光学ファインダー装置と、ズーム領域および収納領域での動作が可能な撮影レンズとを備えたことを特徴とする撮影レンズユニット。
【請求項４】
請求項１又は２に記載の光学ファインダー装置と、ズーム領域および収納領域での動作が可能な撮影レンズとを備えたことを特徴とするカメラ。
【発明の詳細な説明】
【０００１】
【発明の属する技術分野】
本発明は、カメラ、ビデオカメラ、デジタルスチルカメラ等に用いられる光学ファインダー装置に関するものである。
【０００２】
【従来の技術】
撮影用ズームレンズには、ズーム（変倍）のための複数の可動レンズがあり、これらの可動レンズは、撮影ズームレンズ用のカム機構（カム環等）によって、光軸方向に位置調整される。
【０００３】
また、撮影用ズームレンズの周辺に配置される光学ズームファインダ装置にも、ズーム（変倍）のための複数の可動レンズがあり、これらの可動レンズは、ファインダー用のカム機構（カム筒等）、ギヤ列等によって、撮影用ズームレンズのズーム動作に連動するよう光軸方向に位置調整される。
【０００４】
ここで、撮影用ズームレンズが非撮影時にメカ的な全長が短縮（収納）する、所謂、沈胴式のズームレンズの場合、撮影ズームレンズ用のカム機構には、ズーム域のカムと沈胴域のカムとが連続して設けてある。
【０００５】
そして、撮影ズームレンズ用のカム機構とファインダー用のカム機構はギヤ列等によって連動しているので、ファインダー用のカム機構にも、ズーム域のカムと沈胴域のカムとを連続して設ける必要がある。
【０００６】
【発明が解決しようとする課題】
しかしながら、ファインダー用のカム機構において、ズーム域のカムと沈胴域のカムとを連続して設ける場合、沈胴域のカムを、ズーム域のカムを避けて設ける必要があるので、その分ファインダー用のカム機構の長さ（カム環等の軸方向長さ）が長くなり、ひいてはファインダー装置全体の大型化につながるという問題がある。
【０００７】
ここで、図５に、従来のファインダー用カム機構に用いられるカム筒を周方向に２回展開して示している。このカム筒１３４には、第１ファインダー変倍レンズをズーム駆動する第１ズーム域カム溝（ａ１〜ａ３の部分）１３４ａ１と、第２ファインダー変倍レンズをズーム駆動する第２ズーム域カム溝（ｂ１〜ｂ３の部分）１３４ｂ１とが、カム筒１３４の概ね全周にわたって形成されている。また、カム筒１３４には、撮影レンズが沈胴域にあるときに第１ファインダー変倍レンズと係合する第１沈胴域カム溝（斜線を付したａ３〜ａ５の部分）１３４ａ２が第１ズーム域カム溝１３４ａ１の一端に連続して形成されているとともに、同じく撮影レンズが沈胴域にあるときに第２ファインダー変倍レンズと係合する第２沈胴域カム溝（ｂ３〜ｂ５の部分）１３４ｂ２が第２ズーム域カム溝１３４ｂ１の一端に連続して形成されている。
【０００８】
この図から分かるように、第１沈胴域カム溝１３４ａ２が、第１ズーム域カム溝１３４ａ１と第２ズーム域カム溝１３４ｂ１との間に延びているため、第２ズーム域カム溝１３４ｂ１を第１ズーム域カム溝１３４ａ１からカム筒１３４の軸方向に離して設けなければならない。この結果、このカム筒１３４の軸方向長さＬが大きくなる。
【０００９】
そこで、本発明は、ファインダーのカム機構を小さくし、ファインダー装置全体としてのまとまりが良く、コンパクトな沈胴式撮影レンズ対応の光学ファインダー装置を提供することを目的としている。
【００１０】
【課題を解決するための手段】
上記の目的を達成するため、本発明では、撮影レンズのズーム領域および収納領域での動作に連動して回転するカム部材を有し、このカム部材に、複数のファインダーレンズのそれぞれに係合して撮影レンズのズーム動作に伴いこれら複数のファインダーレンズのそれぞれをズーム駆動する複数のズーム域カム部が形成された光学ファインダー装置において、これら複数のズーム域カム部のうち少なくとも１つの両端をカム部材の回転方向にて連続させ、このズーム域カム部に、撮影レンズがズーム領域にあるときおよび収納領域にあるときの双方にてファインダーレンズを係合させるようにしている。
【００１１】
これにより、上記両端が連続するズーム域カム部に他のズーム域カム部をカム部材の軸方向にて近づけて設けることが可能となるため、カム部材の軸方向長さを小さくし、ファインダー装置全体のコンパクト化を図ることが可能となる。
【００１２】
なお、上記両端が連続するズーム域カムと、撮影レンズが収納領域にあるときにファインダーレンズが係合する収納域カム部が連続するズーム域カム部とを併せ持つようにすれば、カム部材のコンパクト化を図りつつ、容易にファインダー光学系の所要のズーム性能を確保すること等が可能となる。
【００１３】
【発明の実施の形態】
図４には、本発明の実施形態である撮影レンズユニットを示している。この撮影レンズユニットは、撮影ズームレンズ部Ａと光学ズームファインダ（ＯＶＦ）部Ｂとが一体的に結合されユニット化されたものである。また、この撮影レンズユニットは、不図示のカメラ本体に取り付けられる。
【００１４】
撮影ズームレンズ部Ａにおいて、１は撮影ズームレンズ本体、３は撮影ズームレンズ本体１に対して沈胴式となっている１群鏡筒、４は１群鏡筒３に保持された撮影レンズ前玉である。５は撮影ズームレンズ部Ａの動作を光学ズームファインダ部Ｂに伝達する本体カムギアである。
【００１５】
１群鏡筒３は、非撮影時には実線で示した位置に引っ込み、撮影ズームレンズ本体１に対して沈胴（収納）する。また、撮影時には３’の位置（点線）まで突出する。
【００１６】
この撮影ズームレンズ部Ａでは、内部の複数の変倍レンズ（不図示）が、鏡筒用カム機構（不図示）によって駆動され、これにより撮影レンズのズーム動作が行われる。このズーム動作の駆動源（不図示）としては、撮影ズームレンズ部Ａの小型化のため、鏡筒内部に納められたステップモーター等が用いられており、この駆動源からの駆動力がギア列を介して鏡筒用カム機構を駆動する。本体カムギア５は、このギア列の中の１つである。
【００１７】
次に、図１および図２を併せ用いてＯＶＦ部Ｂについて説明する。図１には、ＯＶＦ部Ｂの正面図（Ａ）およびＯＶＦ部Ｂを蓋部材を外した状態で示した平面図（Ｂ）とを示しており、図２には、ＯＶＦ部Ｂの背面図（Ａ）およびＯＶＦ部Ｂの側面断面（図１（Ａ）における▲１▼−▲１▼線および▲２▼−▲２▼線での断面）図（Ｂ）とを示している。
【００１８】
３１は撮影ズームレンズ部Ａに固定されるＯＶＦベース部材であり、２１はこのＯＶＦベース部材３１の前端に保持されたＯＶＦ対物レンズである。２２，２３はそれぞれ、ＯＶＦベース部材３１内にてガイドバー３３により光軸方向にガイドされる第１および第２移動枠２２ａ，２３ａに保持されたＯＶＦ第１変倍レンズおよびＯＶＦ第２変倍レンズ（請求の範囲にいうファインダーレンズ）である。また、２８はＯＶＦベース部材３１の後端に保持されたＯＶＦ接眼窓である。
【００１９】
さらに、３４はＯＶＦカム筒（請求の範囲にいうカム部材）であり、このＯＶＦカム筒３４には、ＯＶＦカムギア３５が一体的に設けられている。また、３７は視度調節ダイヤルである。
【００２０】
このように構成される撮影レンズユニットにおいて、撮影ズームレンズ部Ａ内の鏡筒用カム機構が駆動されて撮影ズームレンズ部Ａがズーム動作すると、本体カムギヤ５からこれに噛み合うＯＶＦカムギア３５に駆動力が伝達され、ＯＶＦカム筒３４が回転駆動される。
【００２１】
ＯＶＦカム筒３４の外周には、後述する第１カム溝３４ａおよび第２カム溝３４ｂが形成されており、これらカム溝３４ａ，３４ｂにそれぞれ係合するカムフォロアー２２ｂ，２３ｂ（図３参照）が形成された第１および第２移動枠２２ａ，２３ａ（つまりは、第１ＯＶＦ変倍レンズ２２および第２ＯＶＦ変倍レンズ２３）をズーム駆動する。
【００２２】
そして、ＯＶＦカム筒３４の外周に形成された第１カム溝３４ａおよび第２カム溝３４ｂは、ＯＶＦ第１変倍レンズ２２および第２ＯＶＦ変倍レンズ２３のテレ端とワイド端との間でのズーム状態が、常に撮影ズームレンズ部Ａのテレ端とワイド端との間でのズーム状態と一致するように形成されている。
【００２３】
なお、図４に示すように、撮影ズームレンズ部Ａがワイド端まで短縮したときのＯＶＦ部Ｂの上下方向の画角はＶ範囲であり、左右方向の画角はＨ範囲であるが、このうち上下方向の画角のＶ範囲とワイド端短縮状態での１群鏡筒３’との間には、ＯＶＦ部Ｂを覗いた撮影者に１群鏡筒３’が見えてしまわないように、所定のクリアランスを設けなければならない。
【００２４】
従って、撮影ズームレンズ部ＡとＯＶＦ部Ｂとの位置関係を決める、撮影レンズ前玉４とＯＶＦ対物レンズ２１との光軸間距離Ｄは、上記クリアランスを確保する値以下に小さくすることができない。このため、撮影ズームレンズ部ＡとＯＶＦ部Ｂとの間には、ある程度の空間が生じることになる。
【００２５】
そこで、本実施形態では、この空間に本体カムギア５、ＯＶＦカム筒３４およびＯＶＦカムギア３５を配置し、これにより、本来デッドスペースとなる上記空間を有効利用し、撮影レンズユニットをコンパクトにまとまり良く構成している。
【００２６】
次に、ＯＶＦカム筒３４におけるカム溝の形状および配置について、図３を用いて説明する。図３は、ＯＶＦカム筒３４を周方向に２回展開した図である。
【００２７】
撮影ズームレンズ部Ａがテレ端→ワイド端（ズーム領域）へとズーム動作をしてＯＶＦカム筒３４が回転すると、第１移動枠２２ａに形成されたカムフォロア２２ｂは、第１カム溝３４ａ内をａ１→ａ２→ａ３へと移動することになる。また、第２移動枠２３ａに形成されたカムフォロア２３ｂは、第２カム溝３４ｂ内をｂ１→ｂ２→ｂ３へと移動する。これにより、第１および第２移動枠２２ａ，２３ａはそれぞれ第１および第２カム溝３４ａ，３４ｂのリフトに応じて光軸方向に移動することになる。
【００２８】
ここで、第１カム溝３４ａは、テレ端およびワイド端においてカムフォロワ２２ｂと係合する部分（言い換えれば、ズーム域カム部の両端）がなめらかに連続したエンドレスのカム溝になっている。
【００２９】
このため、撮影ズームレンズ部Ａがワイド端→沈胴端（沈胴領域）へと沈胴動作をすることにより、第１移動枠２２ａに形成されたカムフォロア２２ｂは、第１カム溝３４ａ内を再び、ａ３（ａ１）→ａ４（ａ２）→ａ５（ａ３）へと移動することになる。
【００３０】
すなわち、第１移動枠２２ａ（ＯＶＦ第１変倍レンズ２２）は、撮影ズームレンズ部Ａがズーム領域にあるときおよび沈胴領域にあるときの双方にて、その全体がズーム域カム部である第１カム溝３４ａに係合する。
【００３１】
一方、第２カム溝３４ｂは、第２移動枠２３ａをズーム駆動するズーム域カム部３４ｂ１の一端から、撮影ズームレンズ部Ａが沈胴領域にあるときにのみ係合する沈胴域カム部３４ｂ２が連続する、カム筒３４の略２周分にわたって延びるカム溝として構成されている。
【００３２】
このため、撮影ズームレンズ部Ａがワイド端→沈胴端（沈胴領域）へと沈胴動作をすることにより、移動枠２３ａに形成されたカムフォロア２３ｂは、第２カム溝３４ｂのうち沈胴域カム部３４ｂ内を、ｂ３→ｂ４→ｂ５へと移動することになる。
【００３３】
こうして、撮影ズームレンズ部Ａが上記沈胴動作をすることにより、第１移動枠２２は第１カム溝３４ａのリフトに応じて光軸方向に移動する一方、第２移動枠２３は第２カム溝３４ｂによりほぼ停止状態に維持される。
【００３４】
そしてこのようにＯＶＦカム筒３４のカム溝を設定することにより、図３から分かるように、第１カム溝３４ａに対して第２カム溝３４ｂをカム筒軸方向に近づけることができる。したがって、ＯＶＦカム筒３４の軸方向長さを短くすることができ、ＯＶＦ部Ｂをコンパクトにまとめることができる。さらには、このＯＶＦ部Ｂを有する撮影レンズユニット全体およびカメラ全体のコンパクト化を図ることができる。
【００３５】
図２に示す三角プリズム２５とダハプリズム２６は、ＯＶＦベース部材３１に固定されている。ＯＶＦ対物レンズ２１、ＯＶＦ第１変倍レンズ２２、ＯＶＦ第２変倍レンズ２３、固定ＯＶＦレンズ２４と通過してきた光線は、三角プリズム２５とダハプリズム２６によって計５回反射して曲げられ、最終的には距離Ｔだけ離れた位置で、当初のＯＶＦ光軸と平行な光軸を持った光線となり、ＯＶＦ接眼レンズ２７とＯＶＦ接眼窓（保護ガラス）２８とを通って、撮影者の眼球に到達する。
【００３６】
さらに、視度調節機構について説明する。ＯＶＦ接眼レンズ２７を保持する接眼移動枠２７ａには、ガイドバー２９と嵌合してこのガイドバー２９による光軸方向ガイドを受けるスリーブ部２７ｂが形成されている。なお、ガイドバー２９の両端は、ＯＶＦ光軸と平行になるように、ＯＶＦベース部材３１に固定されている。
【００３７】
視度調節ダイヤル３７は、止めビス３８の軸周りに回転するダイヤルであり、この視度調節ダイヤル３７には、接眼移動枠２７ａをＯＶＦ光軸方向に位置調節するためのカム溝３７ａが形成されている。
【００３８】
スリーブ部２７ｂの近傍に設けられたカムフォロア２７ｃは、視度調節ダイヤル３７のカム溝３７ａに係合しているので、視度調節ダイヤル３７が止めビス３８の軸周りに±４０°範囲で回転させると、接眼移動枠２７ａのカムフォロア２７ｃはカム溝３７ａに沿って動き、この結果、ＯＶＦ接眼レンズ２７が光軸方向に移動し、ＯＶＦ部Ａの視度を調節することができる。
【００３９】
クリックボール４０は、コイルバネ３９の力によって、視度調節ダイヤル３７の裏面に設けられた凹凸面（例えば、視度調節ダイヤル１０°の回転で一回の割りで形成された凹凸）に押し付けられている。これにより、視度調節基準から±４段階の視度調節を行うことができる。したがって、撮影者の視度のばらつきに合わせたＯＶＦ視度の微調節が可能となる。
【００４０】
なお、本実施形態では、カム筒３４に２本のカム溝３４ａ，３４ｂを形成した場合について説明したが、本発明では、カム筒（カム部材）に３本以上のカム溝を形成する場合にも適用することができる。
【００４１】
【発明の効果】
以上説明したように、本発明によれば、両端が連続するズーム域カム部に他のズーム域カム部をカム部材の軸方向にて近づけて設けることができるので、カム部材の軸方向長さを小さくし、ファインダー装置全体（ひいては、撮影レンズユニットやカメラ全体）のコンパクト化を図ることができる。
【００４２】
なお、上記両端が連続するズーム域カムと、撮影レンズが収納領域にあるときにファインダーレンズが係合する収納域カム部が連続するズーム域カム部とを併せ持つようにすれば、カム部材やファインダー装置全体等のコンパクト化を図りつつ、容易にファインダー光学系の所要のズーム性能を確保すること等ができる。
【図面の簡単な説明】
【図１】本発明の実施形態である撮影レンズユニットを構成するＯＶＦ部の正面図および平面図。
【図２】上記ＯＶＦ部の背面図および側面断面図。
【図３】上記ＯＶＦ部のカム筒の展開図。
【図４】上記撮影レンズユニットの正面図、側面図、平面図および背面図。
【図５】従来のＯＶＦ部のカム筒の展開図。
【符号の説明】
Ａ  撮影ズームレンズ部
Ｂ  光学ズームファインダー（ＯＶＦ）部
３  １群鏡筒
４  撮影レンズ前玉
５  本体カムギア
２１  ＯＶＦ対物レンズ
２２  ＯＶＦ第１変倍レンズ
２３  ＯＶＦ第２変倍レンズ
２５  三角プリズム
２６  ダハプリズム
２７  ＯＶＦ接眼レンズ
２８  ＯＶＦ接眼窓（保護ガラス）
２９，３３  ガイドバー
３０  ＯＶＦ蓋部材
３１  ＯＶＦベース部材
３４  ＯＶＦカム筒
３４ａ，３４ｂ  カム溝
３５  ＯＶＦカムギア
３６  ＯＶＦカム軸
３７  視度調節ダイヤル
３９  コイルバネ
４０  クリックボール
【図１】
0004454755.tif 000002
【図３】
0004454755.tif 000003
【図４】
0004454755.tif 000004
【図５】
0004454755.tif 000005
【図２】
0004454755.tif 000006